(57)【要約】【課題】多数のサムネイル画像を一覧表示すると、サムネイル画像の記載内容を判別するのが難しい。【解決手段】ページ画像に係るサムネイル画像を表示画面に表示する表示制御方法において、表示画面に第１のサムネイル画像を表示する第１表示ステップと、第１のサムネイル画像が拡大された画像の一部を第２のサムネイル画像とするステップと、表示画面に第２のサムネイル画像を表示する第２表示ステップと、サムネイル表示時に、少なくとも第１表示ステップおよび第２表示ステップのいずれか一方を実行させる表示実行ステップと、を含む。【選択図】図８
2017120484.tif 000002
【特許請求の範囲】
【請求項１】
ページ画像に係るサムネイル画像を表示画面に表示する表示制御方法であって、
前記表示画面に第１のサムネイル画像を表示する第１表示ステップと、
前記第１のサムネイル画像が拡大された画像の一部を第２のサムネイル画像として生成するステップと、
前記表示画面に前記第１のサムネイル画像と置き換えて前記第２のサムネイル画像を表示する第２表示ステップと、
サムネイル表示時に、少なくとも前記第１表示ステップおよび前記第２表示ステップのいずれか一方を実行させる表示実行ステップと、を含むことを特徴とする表示制御方法。
【請求項２】
請求項１において、
前記第２のサムネイル画像の表示外形サイズは、前記第１のサムネイル画像の表示外形サイズ以下であることを特徴とする表示制御方法。
【請求項３】
請求項１または２において、
所定の条件に基づいて、前記第１表示ステップまたは前記第２表示ステップのいずれか一方を選択する選択ステップを含むことを特徴とする表示制御方法。
【請求項４】
請求項３において、
前記所定の条件が、前記サムネイル画像が前記表示画面に占める割合であることを特徴とする表示制御方法。
【請求項５】
請求項３において、
前記所定の条件が、外部から入力される表示選択指示であることを特徴とする表示制御方法。
【請求項６】
請求項１から５のいずれかの項において、
前記ページ画像に文章が含まれる場合、前記第２のサムネイル画像は、当該文章が始まる部分である基点を含むことを特徴とする表示制御方法。
【請求項７】
請求項６において、
前記第２のサムネイル画像は、少なくとも一部が、前記基点から距離が遠ざかるにつれて所定の地点からフェードアウト表示されることを特徴とする表示制御方法。
【請求項８】
請求項１から７のいずれかの項において、
複数の前記ページ画像に係る各サムネイル画像を、前記ページ画像のページ順に基づいて隣り合う前記サムネイル画像と部分的に重畳するように所定の方向に並べて表示し、
前記各サムネイル画像を、前記第１表示ステップまたは前記第２表示ステップを選択して表示させることを特徴とする表示制御方法。
【請求項９】
請求項１から８のいずれかの項に記載の表示制御方法を表示装置に実行させるプログラム。
【請求項１０】
画像を表示する画像表示部と、
前記画像を拡大および縮小する拡大縮小部と、
第１のサムネイル画像を記憶する第１の記憶部と、
第２のサムネイル画像を記憶する第２の記憶部と、
外部からの入力を取り込む入力部と、
前記第１のサムネイル画像および前記第２のサムネイル画像を前記画像表示部に表示させる制御を行う制御部と、を備え、
前記制御部が、請求項９に記載のプログラムを実行する表示装置。
【発明の詳細な説明】
【技術分野】
【０００１】
本発明は、表示装置のサムネイル画像表示方法、サムネイル画像表示方法を実行するプログラム、および表示装置に関する。
【背景技術】
【０００２】
複数のページで構成される文献を表示する技術として、例えば特許文献１，２に開示された技術がある。特許文献１は、本願発明者による発明であり、複数のページ画像のそれぞれについてサムネイル画像を生成し、生成した複数のサムネイル画像を、一部を重ねて並べ鳥瞰的に一覧表示する技術を開示している。特許文献２は、複数のサムネイル画像をマトリクス上に並べて表示し、サムネイル画像の一部を拡大した拡大画像をサムネイル画像の近傍に表示する技術を開示している。
【先行技術文献】
【特許文献】
【０００３】
【特許文献１】特開２０１２−１６４２９２号公報
【特許文献２】特開２００８−２９８９０３号公報
【発明の概要】
【発明が解決しようとする課題】
【０００４】
サムネイル画像は、多数の画像を一覧表示するために、本来のページ画像の表示サイズより縮小された画像データである。本来の表示サイズでページ画像を開かなくてもどんな記載内容なのかがひと目で分るように、縮小画像（サムネイル画像）で一覧を見せるサムネイル表示を行う時などに使用される。そのため、一覧表示するサムネイル画像は、できるだけ多数としたい要求がある。一方、限られた表示領域で多数のサムネイル画像を一覧表示するためには、個々のサムネイル画像の表示サイズを画像数の増加に伴って縮小しなければならず、記載内容を判別するのが難しくなってしまう。
したがって、サムネイル画像は、必ずしもページ画像全体の縮小画像とは限らず、どんな記載内容なのかが分かる縮小画像であればよい。
【０００５】
特許文献１の技術によれば、限られた表示領域で多数のサムネイル画像を一覧表示でき、特許文献２の技術によれば、縮小されたサムネイル画像の記載内容が判別し易くなる。
しかしながら、特許文献２の技術によると、サムネイル画像の他に拡大画像を表示する領域が必要であるため、表示できるサムネイル画像数が減少して一覧性が低下する恐れや、拡大画像がサムネイル画像や他の拡大画像に重畳され視認性が低下する恐れがある。また、特許文献２の技術を特許文献１の技術に適用しても、上述と同様に、拡大画像がサムネイル画像や他の拡大画像に重畳されて視認性が低下する恐れがある。したがって、特許文献２の技術を適用しても、多数のサムネイル画像を一覧表示しつつサムネイル画像の記載内容を判別し易くすることは難しいという課題があった。
【課題を解決するための手段】
【０００６】
本発明は、上述の課題の少なくとも一部を解決するためになされたものであり、以下の形態または適用例として実現することが可能である。
【０００７】
（適用例１）ページ画像に係るサムネイル画像を表示画面に表示する表示制御方法であって、前記表示画面に第１のサムネイル画像を表示する第１表示ステップと、前記第１のサムネイル画像が拡大された画像の一部を第２のサムネイル画像として生成するステップと、前記表示画面に前記第１のサムネイル画像と置き換えて前記第２のサムネイル画像を表示する第２表示ステップと、サムネイル表示時に、少なくとも前記第１表示ステップおよび前記第２表示ステップのいずれか一方を実行させる表示実行ステップと、を含むことを特徴とする表示制御方法。
【０００８】
本適用例によれば、サムネイル表示を行う時、サムネイル画像内に表示する記載内容の表示サイズを変更できる。その結果、多数のサムネイル画像を表示させるために第１のサムネイル画像の表示外形サイズを小さくせざるを得ない場合でも、第１のサムネイル画像に代えて、記載内容を視認可能に大きく表示した第２のサムネイル画像を表示できる。したがって、ユーザーは、多数のサムネイル画像を一覧表示で確認しつつ、サムネイル画像の記載内容を容易に判別できる。
【０００９】
（適用例２）上記適用例において、前記第２のサムネイル画像の表示外形サイズは、前記第１のサムネイル画像の表示外形サイズ以下であることを特徴とする表示制御方法。
【００１０】
本適用例によれば、第２のサムネイル画像の表示外形サイズが、第１のサムネイル画像の表示外形サイズ以下であるため、第１のサムネイル画像が占める表示面積を変更することなく第２のサムネイル画像２００を第１のサムネイル画像１００と置き換えて表示できる。
【００１１】
（適用例３）上記適用例において、所定の条件に基づいて、前記第１表示ステップまたは前記第２表示ステップのいずれか一方を選択する選択ステップを含むことを特徴とする表示制御方法。
【００１２】
本適用例によれば、第１のサムネイル画像を表示する第１表示ステップと記載内容が拡大された第２のサムネイル画像を表示する第２表示ステップとを選択できる。そのため、状況に適応したサムネイル表示を行うことができる。
【００１３】
（適用例４）上記適用例において、前記所定の条件が、前記サムネイル画像が前記表示画面に占める割合であることを特徴とする表示制御方法。
【００１４】
本適用例によれば、サムネイル画像が表示画面に占める割合によって、第１表示ステップまたは第２表示ステップが選択される。そのため、表示画面のサイズに対してサムネイル画像の表示サイズが小さくなって記載内容が視認し難くなるような場合に、自動的に記載内容が拡大された第２のサムネイル画像を表示することができる。
【００１５】
（適用例５）上記適用例において、前記所定の条件が、外部から入力される表示選択指示であることを特徴とする表示制御方法。
【００１６】
本適用例によれば、外部から入力される表示選択指示によって、第１表示ステップまたは第２表示ステップが選択される。そのため、ユーザーが、例えばサムネイル画像毎に、任意に第１のサムネイル画像で表示するか第２のサムネイル画像で表示するかを選択できる。
【００１７】
（適用例６）上記適用例において、前記ページ画像に文章が含まれる場合、前記第２のサムネイル画像は、当該文章が始まる部分である基点を含むことを特徴とする表示制御方法。
【００１８】
本適用例によれば、第２のサムネイル画像を生成する時に、記載内容に文章が含まれる場合、文章が始まる部分である基点を含む画像とする。そのため、第２のサムネイル画像は、第１のサムネイル画像の記載内容に含まれる文章の始まる部分が表示される画像となり、記載内容の視認性および判別性が向上する。
【００１９】
（適用例７）上記適用例において、前記第２のサムネイル画像は、少なくとも一部が、前記基点から距離が遠ざかるにつれて所定の地点からフェードアウト表示されることを特徴とする表示制御方法。
【００２０】
本適用例によれば、第２のサムネイル画像の記載内容は、所定の地点からフェードアウトされて薄い表示になる。そのため、ユーザーは、第２のサムネイル画像の表示外形サイズに収まらず表示に現れない記載内容が存在することが判断できる。
【００２１】
（適用例８）上記適用例において、複数の前記ページ画像に係る各サムネイル画像を、前記ページ画像のページ順に基づいて隣り合う前記サムネイル画像と部分的に重畳するように所定の方向に並べて表示し、前記各サムネイル画像を、前記第１表示ステップまたは前記第２表示ステップを選択して表示させることを特徴とする表示制御方法。
【００２２】
本適用例によれば、サムネイル表示時にサムネイル画像を、ページ画像のページ順に基づいて隣り合うサムネイル画像と部分的に重畳するように所定の方向に並べて表示する。これにより、表示画面にはより多くのサムネイル画像を表示することができる。
さらに、並べられて表示されるサムネイル画像を、第１表示ステップまたは前記第２表示ステップを選択して表示させる。これにより、表示されるサムネイル画像のすべてを第１のサムネイル画像または第２のサムネイル画像で表示することもできるし、一部のサムネイル画像を第１のサムネイル画像で表示し、他のサムネイル画像を第２のサムネイル画像で表示することもできる。したがって、状況に適したサムネイル表示が可能となり視認性が向上する。
【００２３】
（適用例９）上記適用例に記載のいずれかの表示制御方法を表示装置に実行させるプログラム。
【００２４】
本適用例によれば、表示装置において上記適用例に記載のいずれかのサムネイル表示がソフトウェアにより可能となる。
【００２５】
（適用例１０）画像を表示する画像表示部と、前記画像を拡大および縮小する拡大縮小部と、第１のサムネイル画像を記憶する第１の記憶部と、第２のサムネイル画像を記憶する第２の記憶部と、外部からの入力を取り込む入力部と、前記第１のサムネイル画像および前記第２のサムネイル画像を前記画像表示部に表示させる制御を行う制御部と、を備え、前記制御部が、上記適用例に記載のプログラムを実行する表示装置。
【００２６】
本適用例によれば、表示装置においてサムネイル表示を行う時、サムネイル画像内に表示する記載内容の表示サイズを変更できる。その結果、多数のサムネイル画像を表示させるためにサムネイル画像の表示外形サイズを小さくせざるを得ない場合でも、記載内容を視認可能に大きく表示できる。したがって、ユーザーは、多数のサムネイル画像を一覧表示で確認しつつ、サムネイル画像の記載内容を容易に判別できる。
【図面の簡単な説明】
【００２７】
【図１】本発明に係る表示装置の一例の外観を示す図。
【図２】表示装置のシステム構成を示すブロック図。
【図３】表示装置の処理を示すフローチャート。
【図４】サムネイル画像の一形態を示す図。
【図５】サムネイル画像の他の一形態を示す図。
【図６】サムネイル表示の一例を示す図。
【図７】サムネイル表示の他の一例を示す図。
【図８】サムネイル表示のさらに他の一例を示す図。
【図９】本発明に係る表示装置の他の一例の外観を示す図。
【発明を実施するための形態】
【００２８】
（第１実施形態）
以下、本発明を適用した表示制御方法の第１実施形態について図面を参照して説明する。第１実施形態では、本発明を適用した表示装置として、画像を含む文献の一例である電子マニュアルや電子書籍を閲覧するためのビューワー１０を例に挙げて説明する。
なお、以下の説明で参照する図面では、説明および図示の便宜上、部材ないし部分の縦横の縮尺を実際のものとは異なるように表す場合がある。また、説明に必要な構成要素以外は図示を省略する場合がある。
【００２９】
（表示装置の概要）
図１は、表示装置としてのビューワー１０の外観を示す図であり、ビューワー１０を表示画面１側から見た正面図である。表示画面１は、電子マニュアルや電子書籍の各ページ画像を表示したり、各ページ画像を縮小したサムネイル画像を表示したりする。ビューワー１０は、表示画面１が配置される面に、入力部７としてボタン７Ａ〜７Ｆを備える。入力部７はユーザーに操作されて、例えば、ビューワー１０に対して各種入力を行い表示画面１に表示される画像の操作を行う。
【００３０】
（表示装置のシステム構成）
図２は、ビューワー（表示装置）１０のシステム構成を示すブロック図である。図２に示すように、ビューワー１０は、画像表示部２、制御部３、ＶＲＡＭ（Video RAM）４、ＲＡＭ（Random Access Memory）５、文献記憶部６、および入力部７を備える。これらの各部は、バスＢＵＳに接続されており、バスＢＵＳを介して各部間で信号の交換を行う。
画像表示部２は、液晶パネルなどの表示画面１と表示画面１に画像を表示させるための各種信号を出力する表示駆動回路（不図示）とを含む。画像表示部２は、ＶＲＡＭ４に記憶された画像データを画像として表示画面１に表示させる。
制御部３は、ＣＰＵ（Central Processing Unit）、ＲＯＭ（Read Only Memory）、ＲＡＭ等を備えて構成される。制御部３は、ＲＯＭに記憶されたプログラムに基づいてビューワー１０の各部を制御し、例えば、入力部７から送られる入力信号を取得して操作されたボタンを特定したり、ＶＲＡＭ４にアクセスして各種画像データをＶＲＡＭ４に書き込んだりする。さらに、制御部３は、画像の拡大縮小を行う拡大縮小部３１などの画像処理部をプログラムにより具現化して備える。
ＶＲＡＭ４は、表示画面１に表示させる画像を示す画像データを記憶するメモリーであり、ＶＲＡＭ４に展開されて記憶された画像が表示画面１に表示される。
ＲＡＭ５は、表示画面１に画像を表示させるために用いられるデータを記憶する。ＲＡＭ５は、第１の記憶部５１と第２の記憶部５２とを備える。詳細は後述するが、第１の記憶部５１は、文献のページ画像を縮小した第１のサムネイル画像１００（図４参照）を記憶し、第２の記憶部５２は、第１のサムネイル画像１００が拡大された画像の一部である第２のサムネイル画像２００（図５参照）を記録する。
文献記憶部６は、書換え可能なメモリーであり、電子マニュアルや電子書籍などの文献データを記憶する。なお、文献記憶部６は、複数の異なる文献データを記憶することができ、適宜文献データの書き換えが可能である。
入力部７は、図１に示すボタン７Ａ〜７Ｆを備える。入力部７は、ボタン７Ａ〜７Ｆが操作されると、操作されたボタンを示す信号を制御部３へ送信する。
【００３１】
（表示装置の動作）
図３は、ビューワー（表示装置）１０の処理を示すフローチャートであり、ひいては制御部３によるサムネイル画像表示の流れを示す。以降、図４〜図７を参照して、図３のフローチャートに沿って制御部３の動作を説明する。そのため、図４〜図７について、先に説明する。
【００３２】
図４は、サムネイル画像の一形態としての第１のサムネイル画像１００を示す図である。第１のサムネイル画像１００は、文献記憶部６に記憶された文献のページ画像が縮小された画像である。そのため、ページ画像に対するサムネイル画像の縮小率に合わせて、ページ画像の記載内容１１０の表示サイズ（一点鎖線内）も縮小される。その結果、縮小率が大きくなるにつれて（つまり、サムネイル画像の表示外形サイズが小さくなるにつれて）、記載内容１１０の判読が困難となる傾向にある。なお、図示する基点Ａについては、図５において詳細に説明する。
【００３３】
図５は、サムネイル画像の他の一形態としての第２のサムネイル画像２００を示す図である。第２のサムネイル画像２００は、表示外形サイズの縮小率は第１のサムネイル画像１００と同じであるが、記載内容２１０の縮小率が第１のサムネイル画像より小さい。換言すると、第２のサムネイル画像２００の記載内容２１０の表示サイズは、第１のサムネイル画像１００の記載内容１１０の表示サイズよりも大きい。そのため、第２のサムネイル画像２００によれば、同じ表示外形サイズであるが第１のサムネイル画像１００よりも記載内容２１０の判読が容易である。
また、第２のサムネイル画像２００においては、表示外形サイズの縮小率よりも記載内容２１０の縮小率が小さいため、縮小された記載内容２１０が、縮小された外形の中に収まらない。そこで、文献のページ画像上に基点Ａを定めて、基点Ａを基準にして縮小された記載内容２１０を、縮小された第２のサムネイル画像２００の外形の中に配置する。これにより、基点Ａ近傍の記載内容２１０が、第２のサムネイル画像２００の外形からはみ出すことなく表示される。
さらに、表示外形サイズの中に収まらない記載内容２１０が存在することを示すために、図５に示すように、基点Ａから遠ざかるにつれて所定の地点からグラデーション処理を行い記載内容２１０の一部がフェードアウトされた画像とする。図５の例では、フェードアウトが始まる所定の地点を、第２のサムネイル画像２００において基点Ａから横方向長さ、および縦方向長さの７０％離れた地点とした。したがって、第２のサムネイル画像２００が基点Ａから横方向長さ、および縦方向長さの７０％以上離れて表示される記載内容２１０は、徐々に表示が薄くなる。これにより、表示された記載内容２１０がページ画像に含まれる全ての内容を表示していないことが、一見して判断可能となる。
基点Ａは、例えば、図５に示す第２のサムネイル画像２００では、図の正面視で画像の左上である。本例では、画像の左側から右側へと書かれる横書きの文章が含まれる画像を表示するため、基点Ａを画像の左上とする。すなわち、文章の始まる部分を基点Ａとすることによって、基点Ａの近傍に含まれる領域が、第２のサムネイル画像２００として表示されるので、文章の始まりが視認され、すべての記載内容２１０が視認されなくてもおおよその記載内容２１０が推測可能となる。
【００３４】
図６は、サムネイル表示の一例を示す図である。図６は、第１のサムネイル画像１００（図４）が、表示画面１にマトリクス状に配置されて表示された状態を示す。つまり、第１のサムネイル画像１００が、図の正面視で左上から右側に向けてページＰ１からページ番号に沿って順次並べられる。２段目は１段目に並べられたページ以降のページ（図６では、Ｐ４、・・・）が２段目の左側から順次並べられた状態を示す。なお、図６においては、図面が繁雑になるのを防ぐため、ページＰ２以降は画像中に表示される文字または図形を「・」で表す。
【００３５】
図７は、サムネイル表示の他の一例を示す図である。図７は、第２のサムネイル画像２００（図５）が、マトリクス状に表示された表示画面１の例を示し、図６と同様に、図の正面視で左上から右下に向けてページＰ１から順次並べられた状態である。なお、図７においては、図面が繁雑になるのを防ぐため、ページＰ２以降は画像中に表示される文字または図形を「○」で表し、フェードアウトされる様子を「○」の濃度を薄くして示す。
【００３６】
続いて、図３のフローチャートに沿って、制御部３の動作を説明する（図４〜図７参照）。
【００３７】
ステップＳ０１：制御部３は、文献記憶部６に記憶された複数の文献データから、入力部７のボタン７Ａ〜７Ｆを使用してユーザーに指定された文献のページ画像データを読出し、制御部３が備えるキャッシュメモリーに一時的に記憶する。キャッシュメモリーは、半導体メモリーで構成され、制御部３が画像処理を行う時に演算用に使用する。
【００３８】
ステップＳ０２：制御部３は、読出したページ画像を拡大縮小部３１によって縮小して、第１のサムネイル画像１００（図４）を生成する。その後、制御部３は、生成した第１のサムネイル画像１００をＲＡＭ５の第１の記憶部５１に記憶させる。
【００３９】
ステップＳ０３：制御部３は、生成した第１のサムネイル画像１００の記載内容１１０を拡大縮小部３１によって拡大して、記載内容２１０および第２のサムネイル画像２００（図５）を生成する。その後、制御部３は、生成した第２のサムネイル画像２００をＲＡＭ５の第２の記憶部５２に記憶させる。なお、記載内容２１０は、キャッシュメモリーに記憶されたページ画像の縮小率を第１のサムネイル画像１００を生成する時の縮小率よりも小さくして縮小することによって生成することもできる。
【００４０】
ステップＳ０４：制御部３は、少なくとも表示画面１にサムネイル表示をするために必要な枚数分のページ画像について、第１のサムネイル画像１００および第２のサムネイル画像２００を生成したか判断する。その結果、必要枚数に達していない場合（ステップＳ０４のＮ）は、ステップＳ０１に戻って、ステップＳ０１からステップＳ０３を繰り返す。必要枚数に達している場合（ステップＳ０４のＹ）は、ステップＳ０５の処理に進む。必要枚数として、表示画面１に表示するサムネイル画像の枚数あるいはすべてのページ画像の枚数などが適宜設定される。
【００４１】
ステップＳ０５：制御部３は、第２のサムネイル画像２００によるサムネイル表示が指定されているか否かの表示選択指示を確認する。ユーザーは、随時入力部７のボタン７Ａ〜７Ｆを使用して、第１のサムネイル画像１００または第２のサムネイル画像２００を、サムネイル表示時の画像として選択する表示選択指示をビューワー１０に入力できる。確認の結果、第２のサムネイル画像２００によるサムネイル表示が指定されている場合（ステップＳ０５のＹ）は、ステップＳ０７の第２のサムネイル画像２００の表示処理に進む。第２のサムネイル画像２００によるサムネイル表示が指定されていない場合（ステップＳ０５のＮ）は、ステップＳ０６の処理に進む。
【００４２】
ステップＳ０６：ユーザーが、第２のサムネイル画像２００によるサムネイル表示を指定していない場合、制御部３は、第１のサムネイル画像１００によるサムネイル表示を行う前に、第１のサムネイル画像１００が表示画面１に占める割合を確認する。具体的には、表示画面１に対する第１のサムネイル画像１００の割合が、所定の割合よりも大きいか否かを判断する。所定の割合は、表示画面１の中で第１のサムネイル画像１００がどの程度の表示サイズで表示されると記載内容１１０が判読可能か、を基準にして決定されあらかじめ制御部３に設定される。
第１のサムネイル画像１００の割合が所定の割合よりも大きい場合（ステップＳ０６のＹ）には、記載内容１１０が判読可能であるため、ステップＳ０８の第１のサムネイル画像１００の表示処理に進む。第１のサムネイル画像１００の割合が所定の割合よりも小さい場合（ステップＳ０６のＮ）には、記載内容１１０が判読困難であるため、ステップＳ０７の第２のサムネイル画像２００の表示処理に進む。
【００４３】
ステップＳ０７：制御部３は、第２の記憶部５２に記憶された第２のサムネイル画像２００を文献のページ番号に沿って順次読み出して、表示画面１に表示させる配置でＶＲＡＭ４に記憶させる。ＶＲＡＭ４に記憶された第２のサムネイル画像２００は、画像表示部２によって、図７に示すように、図の正面視で左上から右下に向けてページＰ１から順次並べられた画像として第１のサムネイル画像１００と置き換えて表示画面１に表示される。
【００４４】
ステップＳ０８：制御部３は、第１の記憶部５１に記憶された第１のサムネイル画像１００を文献のページ番号に沿って順次読み出して、表示画面１に表示させる配置でＶＲＡＭ４に記憶させる。ＶＲＡＭ４に記憶された第１のサムネイル画像１００は、画像表示部２によって、図６に示すように、図の正面視で左上から右下に向けてページＰ１から順次並べられた画像として表示画面１に表示される。
【００４５】
以上のように、制御部３は、第１のサムネイル画像１００が拡大された画像の一部を第２のサムネイル画像２００として生成するステップ（ステップＳ０３）、表示画面１に第１のサムネイル画像１００を表示する第１表示ステップ（ステップＳ０８）、および表示画面１に第１のサムネイル画像１００と置き換えて第２のサムネイル画像２００を表示する第２表示ステップ（ステップＳ０７）を実行する。さらに、制御部３は、第１表示ステップまたは前記第２表示ステップのいずれか一方を選択する選択ステップ（ステップＳ０５およびステップＳ０６）を経て第１表示ステップおよび第２表示ステップの少なくともいずれか一方を実行させる表示実行ステップ（ステップＳ０５およびステップＳ０６）を実行する。
【００４６】
（作用効果）
上述のように、第１実施形態によれば、ビューワー（表示装置）１０は、サムネイル表示を行う時、ユーザーの指定あるいはサムネイル画像の表示外形サイズが表示画面に占める割合に基づいて、サムネイル画像内に表示する記載内容の表示サイズを変更できる。その結果、図７に示すように、第２のサムネイル画像２００を例えば１２ページ分表示させるために第２のサムネイル画像２００の表示外形サイズを小さくせざるを得ない場合でも、記載内容２１０は、図５に示すように大きく表示できる。したがって、ユーザーは、多数のサムネイル画像を一覧表示で確認しつつ、サムネイル画像の記載内容を容易に判別できる。さらに、第２のサムネイル画像２００の表示外形サイズを第１のサムネイル画像１００の表示外形サイズとほぼ同サイズあるいは同サイズ以下とすることによって、第１のサムネイル画像が占める表示面積を変更することなく第２のサムネイル画像２００を第１のサムネイル画像１００と置き換えて表示でき、記載内容の視認性が向上される。
また、第１実施形態では、サムネイル表示を行う前に、サムネイル表示をするために必要な枚数分のページ画像について、一括して第１のサムネイル画像１００および第２のサムネイル画像２００を生成してＲＡＭ５に記憶させる。このため、制御部３は、サムネイル表示を行う都度ページ画像の拡大縮小などの画像処理を行う必要がなく、サムネイル画像の表示を素早く行える。
【００４７】
（変形例１）
第１実施形態においては、サムネイル表示時には、すべてのサムネイル画像を第１のサムネイル画像１００あるいは第２のサムネイル画像２００のいずれかで表示する例を説明した。しかしながら、サムネイル画像の表示方法はこれに限られず、例えば、ユーザーが指定する一部のサムネイル画像のみを第２のサムネイル画像２００とし、その他を第１のサムネイル画像１００としてもよい。これにより、ユーザーは、指定したページ画像のみ大きな表示サイズで記載内容を確認できる。
【００４８】
（変形例２）
縮小された記載内容２１０の大きさ（換言すれば、ページ画像の縮小率）は、ユーザーが見易い大きさになるように、ユーザーが入力部７から任意に設定できるようにしてもよい。これにより、複数のユーザーが表示装置を使用する場合の利便性が向上する。
【００４９】
（変形例３）
文献記憶部６に記憶される文献は、あらかじめ記憶された電子マニュアルや電子書籍だけでなく、例えば、ユーザーがビューワー１０（表示装置）に入力し蓄積する評価データや予定表などでもよい。
【００５０】
（変形例４）
第１実施形態では、ページ画像が画像の左側から右側へと書かれる横書きの文章を含むため、図４および図５に示すように、基点Ａを画像の左上とした。しかしながら、基点Ａの位置はこれに限られず、例えば、書字方向が画像の右上から下に向かう縦書きの日本語の文章の場合や書字方向が右上から左に向かうアラビア語などの文章の場合は、基点Ａを画像の右上としてもよい。また、記載された図形によって最も記載内容の特徴が示される場合は、その図形に基点Ａを設定してもよい。
【００５１】
（変形例５）
図８は、サムネイル表示のさらに他の例を示す図である。図８に示すサムネイル表示では、ページＰ１からページＰ３およびページＰ４からページＰ６のサムネイル画像が、ページ順に基づいて隣り合うサムネイル画像と部分的に重畳するようにして図の正面視で横方向に並べて表示される。また、ページＰ１，Ｐ３，Ｐ５が第１表示ステップにより表示され、ページＰ２，Ｐ４，Ｐ６が第２表示ステップにより表示された状態である。
図８に示すサムネイル表示の形態とすることによって、限られた表示画面１内により多くのサムネイル画像を表示しつつ必要なページの記載内容を視認可能な表示サイズで表示できる。その結果、多数のサムネイル画像を一覧表示で確認でき、かつサムネイル画像の記載内容が判別し易くなる。また、サムネイル画像毎に、第１表示ステップにより表示させるか第２表示ステップにより表示させるかを選択することによって、特定のサムネイル画像についてだけ記載内容を判別し易くすることもできる。
【００５２】
（変形例６）
第１実施形態では、サムネイル表示をするために必要な枚数分のページ画像について、一括して第１のサムネイル画像１００および第２のサムネイル画像２００を生成した。しかしながら、制御部３が、サムネイル表示を行う都度、ページ画像の拡大縮小などの画像処理を行って第１のサムネイル画像１００または第２のサムネイル画像２００を生成してもよい。
【００５３】
（第２実施形態）
図９は、本発明に係る表示装置としてのプリンター２０の外観を示す図である。図９に示すプリンター２０は、表示画面１、ケース２１、および印刷媒体排出部２２を備える。表示画面１は、画像を表示するとともに、光透過性を有する感圧式のタッチパネルを備え入力部７として機能する。プリンター２０は、ケース２１内に印刷機構、ロール状の印刷媒体、印刷機構制御部を備え、外部機器から印刷データを受信するインターフェイスを備える。プリンター２０は、さらに、図２に示す画像表示部２、制御部３、ＶＲＡＭ４、ＲＡＭ５、文献記憶部６、および入力部７を備える。プリンター２０は、印刷機構制御部によって印刷機構を制御して、内部の印刷媒体に印刷データを印刷し、印刷媒体排出部２２から印刷された印刷媒体を排出する。
【００５４】
表示画面１には、外部機器から受信して文献記憶部６に記憶された印刷データや文献記憶部６にあらかじめ記憶される電子マニュアルや電子書籍などがサムネイル表示される。この時、サムネイル画像は、第１実施形態およびその変形例の説明と同様の表示形態で表示される。
【００５５】
（作用効果）
そのため、第２実施形態によれば、ユーザーは、多数のサムネイル画像を一覧表示で確認しつつサムネイル画像の記載内容を判別できるため、印刷したいページ画像を容易に選択でき、誤印刷を防止できる。
【符号の説明】
【００５６】
１…表示画面、２…画像表示部、３…制御部、４…ＶＲＡＭ、５…ＲＡＭ、６…文献記憶部、７…入力部、７Ａ〜７Ｆ…ボタン、１０…ビューワー（表示装置）、２０…プリンター（表示装置）、２１…ケース、２２…印刷媒体排出部、３１…拡大縮小部、５１…第１の記憶部、５２…第２の記憶部、１００…第１のサムネイル画像、１１０…記載内容、２００…第２のサムネイル画像、２１０…記載内容。
【図１】
2017120484.tif 000003
【図２】
2017120484.tif 000004
【図３】
2017120484.tif 000005
【図４】
2017120484.tif 000006
【図５】
2017120484.tif 000007
【図６】
2017120484.tif 000008
【図７】
2017120484.tif 000009
【図８】
2017120484.tif 000010
【図９】
2017120484.tif 000011